(57)【要約】【課題】外部から仕切られた空間で発生する流体の流動経路を制御して、特定の方向へ案内する。【解決手段】結露の量を数値的に示す情報が、予め定めたしきい値を超えた場合に、集約ダクト６８と筐体１０Ａの外部との圧力関係を制御し、第１の排気案内部５８から集約ダクト６８へ届く雰囲気を、第２の排気案内部６０へ逆流させるようにした（逆流制御）。逆流制御は、第２のファン７０の駆動停止によって実現している。暖機運転するとき、通常は、定着装置４８を動作させ、かつ第１のファン６４及び第２のファン７０を駆動する。この場合、定着装置４８及び用紙案内部５０の雰囲気は、集約ダクト６８を介して排気口１０Ｂから排気される。一方、逆流制御時は、第２のファンの駆動を停止する。この第２のファンの駆動の停止により、定着装置４８からの雰囲気の一部が、用紙案内部５０へ逆流する。逆流した雰囲気により、用紙案内部５０の結露が解消される。【選択図】図５
2018040949.tif 000002
【特許請求の範囲】
【請求項１】
定着部の雰囲気を、第１ダクトを介して回収し、排気口を備えた排気ダクトへ送り出す第１ファンと、
定着後の記録媒体の搬送を案内する搬送案内部の周囲の雰囲気を第２ダクトを介して回収し、前記排気ダクトへ送り出す第２ファンと、
定常時は回収した雰囲気を排気口へ導く流路を形成し、予め定めた条件が成立した場合に、前記第１ダクトの雰囲気が第２ダクトへ流動する流路を形成する流路形成手段と、
を有する流路制御装置。
【請求項２】
前記流路形成手段が、予め定めた条件が成立した場合に、前記第２ファンの駆動を停止させる請求項１記載の流路制御装置。
【請求項３】
前記搬送案内部を含む筐体内の結露の有無を判別する判別手段をさらに有し、
前記予め定めた条件が、前記判別手段で結露有りと判別された場合である請求項１又は請求項２記載の流路制御装置。
【請求項４】
像保持体から転写された画像を少なくとも加熱することで定着処理させる定着部と、
前記定着部の雰囲気を、第１ダクトを介して回収し、排気口を備えた排気ダクトへ送り出す第１ファンと、
前記定着部で発生する上昇気流の自然流路とは異なる方向に配置され、前記定着部から受け取った記録媒体を目的の位置まで搬送を案内する搬送案内部と、
前記搬送案内部の周囲の雰囲気を第２ダクトを介して回収し、前記排気ダクトへ送り出す第２ファンと、
前記搬送案内部を含む筐体内の結露の有無を判別する判別手段と、
定常時は回収した雰囲気を排気口へ導く流路を形成し、前記判別手段で結露有りと判別された場合に、前記第１ダクトの雰囲気が第２ダクトへ流動する流路を形成する流路形成手段と、
を有する画像形成装置。
【請求項５】
前記流路形成手段が、結露有りと判別された場合に、前記第２ファンの駆動を停止させる請求項４記載の画像形成装置。
【発明の詳細な説明】
【技術分野】
【０００１】
本発明は、流路制御装置、画像形成装置に関する。
【背景技術】
【０００２】
特許文献１には、転写材の温度検知を行い、定着熱と送風手段を制御して転写材の予備加熱を行うことが記載されている。
【０００３】
特許文献２には、機内温度上昇を防ぐ排気装置を機内湿度と機内外温度によって制御することが記載されており、より具体的には、結露情報を検知するセンサで結露判定し、定着熱での加熱と送風装置を制御して、結露を防止している。
【先行技術文献】
【特許文献】
【０００４】
【特許文献１】特開２００５−２０８２００号公報
【特許文献２】特開昭６１−２８２８５７号公報
【発明の概要】
【発明が解決しようとする課題】
【０００５】
定着部から排出される雰囲気（以下、排気流という）を結露除去用に二次利用するとき、排気流の流動経路によっては、定着部及びその周辺で過剰な温度上昇が発生する場合がある。
【０００６】
本発明は、外部から仕切られた空間で発生する流体の流動経路を制御して、特定の方向へ案内することができる流路制御装置、画像形成装置を得ることが目的である。
【課題を解決するための手段】
【０００７】
請求項１に記載の発明は、定着部の雰囲気を、第１ダクトを介して回収し、排気口を備えた排気ダクトへ送り出す第１ファンと、定着後の記録媒体の搬送を案内する搬送案内部の周囲の雰囲気を第２ダクトを介して回収し、前記排気ダクトへ送り出す第２ファンと、定常時は回収した雰囲気を排気口へ導く流路を形成し、予め定めた条件が成立した場合に、前記第１ダクトの雰囲気が第２ダクトへ流動する流路を形成する流路形成手段と、を有する流路制御装置である。
【０００８】
請求項２に記載の発明は、前記請求項１に記載の発明において、前記流路形成手段が、予め定めた条件が成立した場合に、前記第２ファンの駆動を停止させる。
【０００９】
請求項３に記載の発明は、前記請求項１又は請求項２記載の発明において、前記搬送案内部を含む筐体内の結露の有無を判別する判別手段をさらに有し、前記予め定めた条件が、前記判別手段で結露有りと判別された場合である。
【００１０】
請求項４に記載の発明は、像保持体から転写された画像を少なくとも加熱することで定着処理させる定着部と、前記定着部の雰囲気を、第１ダクトを介して回収し、排気口を備えた排気ダクトへ送り出す第１ファンと、前記定着部で発生する上昇気流の自然流路とは異なる方向に配置され、前記定着部から受け取った記録媒体を目的の位置まで搬送を案内する搬送案内部と、前記搬送案内部の周囲の雰囲気を第２ダクトを介して回収し、前記排気ダクトへ送り出す第２ファンと、前記搬送案内部を含む筐体内の結露の有無を判別する判別手段と、定常時は回収した雰囲気を排気口へ導く流路を形成し、前記判別手段で結露有りと判別された場合に、前記第１ダクトの雰囲気が第２ダクトへ流動する流路を形成する流路形成手段と、を有する画像形成装置である。
【００１１】
請求項５に記載の発明は、請求項４に記載の発明は、前記流路形成手段が、結露有りと判別された場合に、前記第２ファンの駆動を停止させる。
【発明の効果】
【００１２】
請求項１に記載の発明によれば、外部から仕切られた空間で発生する流体の流動経路を制御して、特定の方向へ案内することができる。
【００１３】
請求項２に記載の発明によれば、雰囲気の圧力差による流動性を変更することができる。
【００１４】
請求項３に記載の発明によれば、雰囲気の流路制御で結露を除去することができる。
【００１５】
請求項４に記載の発明によれば、外部から仕切られた空間で発生する流体の流動経路を制御して、特定の方向へ案内することができる。
【００１６】
請求項５に記載の発明によれば、雰囲気の圧力差による流動性を変更し、結露を除去することができる。
【図面の簡単な説明】
【００１７】
【図１】本実施の形態に係る画像処理装置の概略図である。
【図２】図１の矢印ＩＩ線から見た排気ダクトユニット斜視図である。
【図３】図２の矢印ＩＩＩ線から見た排気ダクトユニット斜視図である。
【図４】画像処理装置に設けられた排気口の近傍を示す斜視図である。
【図５】本実施の形態に係る排気ダクトの斜視図であり、（Ａ）は暖機運転が通常運転されているときの雰囲気の流れを示し、（Ｂ）は暖機運転が逆流制御運転されているときの雰囲気の流れを示す。
【図６】メインコントローラに記憶されている機内温度−絶対湿度特性テーブルである。
【図７】本実施の形態に係り、メインコントローラで実行される逆流制御のための機能ブロック図である。
【図８】本実施の形態に係り、メインコントローラで実行される結露発生判定制御ルーチンを示すフローチャートである。
【図９】暖機運転実行指示に基づき実行される暖機運転制御ルーチンを示すフローチャートである。
【図１０】暖機運転実行指示に基づき実行される暖機運転制御のタイミングチャートである。
【図１１】変形例に係り、しきい値Ｓの変更制御ルーチンを示すフローチャートである。
【発明を実施するための形態】
【００１８】
図１には、本実施の形態に係る画像処理装置１０が示されている。
【００１９】
画像処理装置１０は、記録用紙に画像を形成する画像形成部１２と、原稿画像を読み取る画像読取部１４とを備えている。画像形成部１２の下部は記録用紙Ｐを収容するトレイユニット１６が設けられている。
【００２０】
画像読取部１４には、自動原稿送り装置１８が設けられている。
【００２１】
自動原稿送り装置１８は、原稿Ｍが置かれる原稿台２０と、画像を読み取った後の原稿Ｍが排出される排出台２２と、原稿Ｍを原稿台２０から排出台２２へ搬送する搬送部２４と、を有する。
【００２２】
また、画像読取部１４の前方には、画像読取処理、複写処理、画像形成処理を含む処理動作（サービス）項目を指示したり、それぞれの処理動作の詳細設定を指示すると共に、画像処理装置１０の状態を表示するためのユーザーインターフェイス２６（ＵＩ２６という場合がある）が配置されている。
【００２３】
画像処理装置１０は、メインコントローラ２８を備えており、画像形成部１２、画像読取部１４を統括的に制御する。例えば、メインコントローラ２８では、画像読取部１４で読み取った原稿画像の画像データを一時的に記憶したり、読み取った画像データを画像形成部１２へ送出したりする。
【００２４】
画像形成部１２には、露光装置３０が配置されている。露光装置３０は、レーザービームを出力する。露光装置３０の図１の下方には感光体３２が配置され、感光体３２にレーザービームが照射されるようになっている。
【００２５】
感光体３２の周面には、反時計回り方向に、帯電部３４、現像装置３６、転写部３８、クリーナ部４０の順に配置されている。露光装置３０から出力されるレーザービームは、帯電部３４と現像装置３６との間の感光体３２の表面に照射される。
【００２６】
トレイユニット１６は、複数段の給紙トレイ１６Ａ、１６Ｂ、１６Ｃ及び１６Ｄを備えており、それぞれ記録用紙Ｐが積み重ねられて収容される。
【００２７】
給紙トレイ１６Ａ、１６Ｂ、１６Ｃ及び１６Ｄからは、それぞれピックアップロール４２によって、最上層の記録用紙Ｐが取り出され、複数のローラとガイド板とからなる搬送部４４によって、搬送されるようになっている。
【００２８】
搬送部４４は、位置決めロール４６を備えており、当該位置決めロール４６は、感光体３２に形成されたトナー画像の位置と記録用紙Ｐの先端との位置を合わせる役目を有する。
【００２９】
すなわち、位置決めロール４６は、トナー画像との位置が合うタイミングで記録用紙Ｐを感光体３２へ送り出す。これにより、記録用紙Ｐは、感光体３２の転写部３８へ搬送される。転写部３８のさらに下流側には、定着部の一例としての定着装置４８が配置されている。定着装置４８は、加熱ロール４８Ａと、加圧ロール４８Ｂとを有しており、記録用紙Ｐを加熱し、加圧することで転写されたトナー画像を記録用紙Ｐに定着させる。
【００３０】
定着装置４８の搬送方向下流側には、搬送案内部の一例としての用紙案内部５０が設けられている。
【００３１】
用紙案内部５０は、記録用紙Ｐの搬送方向を指定された方向へ分岐させるための機能を備える。例えば、定着装置４８から送られてきた記録用紙Ｐを排紙トレイ５２へ記録用紙Ｐを排出する。また、定着装置４８から送られてきた記録用紙Ｐを反転路５４へ案内して、位置決めロール４６の上流側へ戻し、裏面側に画像形成するようになっている。
【００３２】
本実施の形態では、転写部３８から定着装置４８を経て、用紙案内部５０までの記録用紙Ｐの搬送路は、設置面に沿った横方向（例えば、水平に対して４５°以下の方向）とされている。
【００３３】
図２は、図１に示す定着装置４８及び用紙案内部５０を覆うように設けられた排気ダクトユニット５６の、図１の矢印ＩＩ線から見た斜視図である。
【００３４】
図２に示される如く、排気ダクトユニット５６は、第１の排気案内部５８を備えている。第１の排気案内部５８は、定着装置４８の上部に設けられた天井部５８Ａと、天井部５８Ａの幅方向（用紙搬送方向）両端部から下方に吊り下げられた一対の側壁部５８Ｂとが一体となって形成されている。
【００３５】
また、図２に示される如く、排気ダクトユニット５６は、第２の排気案内部６０を備えている。第２の排気案内部６０は、用紙案内部５０の上部に設けられた天井部６０Ａと天井部６０Ａの幅方向（用紙搬送方向）両端部から下方に吊り下げられた一対の側壁部６０Ｂとが一体となって形成されている。
【００３６】
第１の排気案内部５８と第２の排気案内部６０とが対峙する部分は、側壁部５８Ｂ、６０Ｂ同士が接合されて、一体化されている。
【００３７】
第１の排気案内部５８における天井部５８Ａの上面には、定着排気ダクト６２が取り付けられている。定着排気ダクト６２の下面が開口され、前記天井部５８Ａを貫通している。
【００３８】
定着装置４８では、定着処理に利用した定着熱によって周辺の雰囲気が加熱される。当該加熱された雰囲気は、第１の排気案内部５８で集められて、定着排気ダクト６２に案内される。
【００３９】
用紙案内部５０では、定着処理による記録用紙Ｐの余熱によって周辺の雰囲気が加熱される。当該加熱された雰囲気は、第２の排気案内部６０で集められる。
【００４０】
図３は、図２の矢印ＩＩＩ線から見た排気ダクトユニット５６の斜視図である。
【００４１】
前記第１の排気案内部５８の用紙搬送方向と交差する方向（以下、用紙幅方向という）の一端部（図３の手前側端部）には、第１のファン６４が取り付けられている。第１のファン６４は、軸線方向から雰囲気を吸引し接線方向に排出する機能を有する。また、第１のファン６４の吸引側には、定着排気ダクト６２に集められた雰囲気を第１のファン６４の軸線方向に案内するバッファ部６６を備える。
【００４２】
第１のファン６４の駆動により、軸線方向から吸引され、かつ接線方向に排出された定着装置４８から雰囲気は、集約ダクト６８に送り出されるようになっている。
【００４３】
また、前記第２の排気案内部６０の上部には、第２のファン７０が取り付けられている。第２のファン７０は、軸線方向から雰囲気を吸引し接線方向に排出する機能を有する。第２のファン７０の吸引側は、第２の排気案内部６０の天井部６０Ａを貫通しており、第２の排気案内部６０によって集められた用紙案内部５０の雰囲気を取り込み可能となっている。
【００４４】
第２のファン７０は、接線方向である雰囲気排出口に用紙案内部排気ダクト７２が取り付けられている、これにより、第２のファン７０の駆動により、軸線方向から吸引され、かつ接線方向に排出された用紙案内部５０からの雰囲気は、用紙案内部排気ダクト７２を介して、前記集約ダクト６８に送り出されるようになっている。
【００４５】
すなわち、集約ダクト６８は、定着排気ダクト６２及び用紙案内部排気ダクト７２との共通の空間を有することになる。
【００４６】
集約ダクト６８は、画像処理装置１０を覆う筐体１０Ａ（図４参照）に形成された排気口１０Ｂを介して、筐体１０Ａの外部との間で雰囲気が行き来可能となっており、集約ダクト６８と筐体１０Ａの外部との圧力差によって、通常は、集約ダクト６８に集約された雰囲気が排気口１０Ｂから排出されるようになっている。
【００４７】
すなわち、定着装置４８の雰囲気は、第１の排気案内部５８→定着排気ダクト６２→バッファ部６６→第１のファン６４→集約ダクト６８を通過して、排気口１０Ｂから排出される。
【００４８】
一方、用紙案内部５０の雰囲気は、第２の排気案内部６０→第２のファン７０→用紙案内部排気ダクト７２→集約ダクト６８を通過して、排気口１０Ｂから排出される。
【００４９】
ここで、本実施の形態では、画像処理装置１０の筐体１０Ａの内部、特に、用紙案内部５０に結露が発生し易い構造となる場合がある。結露が発生し易い構造の一因としては、前述したように、転写部３８から定着装置４８を経て、用紙案内部５０までの記録用紙Ｐの搬送路が、設置面に沿った横方向とされていることにある。言い換えれば、定着部で発生した上昇気流が流動する方向に用紙案内部があれば、当該上昇気流の自然な流れで二次利用することが可能となる。
【００５０】
これに対して、定着装置４８の余熱を持った雰囲気が、用紙案内部５０に流れる構造となっていない場合、定着装置４８による定着処理後の記録用紙Ｐに残る水分が結露の原因となることがある。
【００５１】
そこで、本実施の形態では、結露の量を数値的に示す情報が、予め定めたしきい値を超えた場合に、集約ダクト６８と筐体１０Ａの外部との圧力関係を制御し、第１の排気案内部５８（定着装置４８）から集約ダクト６８へ届く雰囲気を、第２の排気案内部６０（用紙案内部５０）へ逆流させるようにした（逆流制御）。
【００５２】
本実施の形態の逆流制御は、第２のファン７０の駆動停止によって実現している。この第２のファン７０の駆動停止は、流路形成手段の一例として機能する。
【００５３】
例えば、画像処理装置１０が設置された事業所において、始業前にタイマ等で起動させ、暖機運転するとき、通常は、定着装置４８を動作させ、かつ第１のファン６４及び第２のファン７０を駆動する。この場合、図５（Ａ）に示される如く、定着装置４８及び用紙案内部５０の雰囲気は、集約ダクト６８を介して排気口１０Ｂから排気される。
【００５４】
これに対して、逆流制御時は、第２のファンの駆動を停止する。この第２のファンの駆動の停止により、図５（Ｂ）の点線で示される如く、定着装置４８からの雰囲気の一部が、用紙案内部５０へ逆流する。この逆流した雰囲気により、用紙案内部５０の結露が解消し得ることになる。
【００５５】
結露の量を数値的に示す情報として、本実施の形態では、温度と湿度を適用する。図１に示される如く、画像処理装置１０の筐体１０Ａの内部の適宜箇所には、温度センサ７４が設けられている。図１では、適宜箇所の一例として、温度センサ７４が、露光装置２００の隣接した位置に配置されている。
【００５６】
なお、温度センサ７４の取付位置は、筐体１０Ａの内部において、統計的に平均的な温度及び湿度となる位置、結露が発生し易い位置、及び、結露により画質低下や搬送不良といった悪影響を及ぼす位置等が挙げられるが、筐体１０Ａの内部の特定領域に限定されるものではない。
【００５７】
メインコントローラ２８では、前記温度センサ７４の検出値に基づき絶対湿度を演算して、結露の発生の有無を判定すると共に、当該判定結果に基づいて、逆流制御を実行するか否かを判定する。
【００５８】
本実施の形態では、温度センサ７４の検出値の時間変化から理論式を用いて、飽和水蒸気量を演算する。
【００５９】
すなわち、飽和水蒸気量ａ（Ｔ）を得るための演算式は、以下の（１）式の通りである。
【００６０】
ａ（Ｔ）＝｛２１７×ｅ（Ｔ）｝／｛Ｔ＋２７３．１５｝・・・（１）
なお、Ｔは温度（℃）である。また、ｅ（Ｔ）は、飽和水蒸気圧であり、６．１０７８×１０の｛７．５Ｔ／（２３７．３）｝乗で表される。
【００６１】
上記（１）式に基づき、飽和水蒸気量を取得し、絶対湿度を求める。
【００６２】
なお、温度センサ７４に併設するように、上記絶対湿度（又は相対湿度）を演算し、電気信号として出力可能な湿度センサを設けてもよい。
【００６３】
図６は、画像処理装置１０の筐体１０Ａの内部の温度（以下、機内温度という）と絶対湿度との関係を示す特性図であり、メインコントローラ２８に予め記憶されている。
【００６４】
図６の特性図により、本実施の形態の逆流制御を実行するか否かを判定するしきい値が設定される。
【００６５】
図６からは、機内温度が高ければ高いほど、及び絶対湿度が高ければ高いほど結露が発生することがわかる。図６は、機内温度−絶対湿度との関係から、逆流制御実行領域である第１領域と、結露未発生領域である第２領域と、しきい値変更許容領域である第３領域との３つの領域に分割した。
【００６６】
第１領域は、結露が画質低下や搬送不良等の悪影響を及ぼす程度に発生していることが予測される領域であり、結露発生の警告報知、及び逆流制御の実行を指示する領域であり、境界線Ｓがしきい値となる。
【００６７】
第２領域は、結露が発生しておらず、逆流制御を実行する必要のない領域である。
【００６８】
第３領域は、結露が発生しているが、処理状況等により画質低下や搬送不良等の悪影響を及ぼすか否かが変動する領域（変更可能な領域）であり、例えば、精度設定等により、結露発生の警告報知、及び逆流制御の実行を指示する領域とする場合がある。
【００６９】
すなわち、第３領域は、しきい値である前記境界線Ｓを設定変更可能な領域である。
【００７０】
図７は、メインコントローラ２８で実行される逆流制御のための機能ブロック図である。なお、この図７の各ブロックは機能別に分類したものであり、メインコントローラ２８のハード構成を限定するものではない。
【００７１】
温度センサ７４は、受付部７６に接続されている。受付部７６は、絶対湿度演算部７８、判別手段の一例としての結露判定部８０及び読出部８２に接続されている。
【００７２】
受付部７６では、温度センサ７４からの検出信号を受け付けると、当該検出信号（機内温度に相当）を絶対湿度演算部７８及び結露判定部８０へ送出する。
【００７３】
絶対湿度演算部７８では、前述した（１）式に基づいて、飽和水蒸気量ａ（Ｔ）を演算し、絶対湿度を取得する。
【００７４】
絶対湿度演算部７８は、結露判定部８０に接続されており、演算結果である絶対湿度の情報を、結露判定部８０へ送出する。
【００７５】
一方、受付部７６では、温度センサ７４からの検出信号を受け付けると、読出部８２に対して、テーブル読出指示信号を出力する。
【００７６】
読出部８２では、当該テーブル読出指示信号を受けると、機内温度−絶対湿度特性テーブルメモリ８４に予め記憶されている機内温度−絶対湿度特性テーブル（図６参照）を読み出す。読出部８２は、結露判定部８０に接続されており、読み出した機内温度−絶対湿度特性テーブルを結露判定部８０へ送出する。
【００７７】
以上により、結露判定部８０には、絶対湿度、機内温度、及び機内温度−絶対湿度特性テーブルが揃うことになる。
【００７８】
結露判定部８０では、機内温度−絶対湿度特性テーブル（図６参照）を参照し、絶対湿度（縦軸）と、機内温度（横軸）との関係から、現在の領域を判定する。
【００７９】
すなわち、現在の絶対湿度と機内温度が第１領域に属する場合、結露が画質低下や搬送不良等の悪影響を及ぼす程度に発生していることが予測され、結露発生の警告報知、及び逆流制御の実行を指示する必要があると判定する。
【００８０】
また、現在の絶対湿度と機内温度が第２領域に属する場合、結露が発生しておらず、逆流制御を実行する必要のないと判定する。
【００８１】
なお、現在の絶対湿度と機内温度が第３領域に属する場合、ユーザー等の設定によりしきい値Ｓが設定している状態で、第１領域又は第２領域の何れかを判定する。
【００８２】
結露判定部８０は、報知部８６及び実行指示部８８に接続されている。
【００８３】
報知部８６では、第１領域に属する判定（結露発生判定）を受けることで、ＵＩ２６を制御して、結露が発生しており、逆流制御を実行する旨のメッセージを表示したり、警告音を発するといった、視覚及び聴覚を主体とした報知を実行する。なお、結露発生判定の報知は、視覚及び聴覚以外の感覚を使用することを否定するものではない。また、始業前の動作であるため、通信回線網を介して、予め定めた端末装置に、結露発生判定があった旨を通知するようにしてもよい。
【００８４】
一方、報知部８６では、第２領域に属する判定（結露未発生判定）の場合は、通知を受けない、或いは受けたとしても、ＵＩ２６を制御するような処理は実行しない。なお、結露未発生判定の場合、通常の暖機運転を実行した旨を報知するようにしてもよい。
【００８５】
次に、実行指示部８８は、ファン駆動部９０に接続されている。
【００８６】
ファン駆動部９０は、通常の暖機運転時は、第１のファン６４及び第２のファン７０を共に駆動する。これに対して、実行指示部８８は、第１領域に属する判定（結露発生判定）を受けることで、ファン駆動部９０に対して第２のファン７０の駆動を停止するように指示する。これにより、暖機運転中は、第１のファン６４は駆動するが、第２のファン７０は駆動停止状態となる。
【００８７】
以下に本実施の形態の作用を説明する。
【００８８】
（通常モード時の処理動作例）
画像形成部１２では、メインコントローラ２８を介して、画像読取部１４で読み取った原稿画像、又は図示しない通信回線網を介してＰＣやサーバー等から受け付けた画像情報に応じた制御信号を、露光装置３０に出力する。露光装置３０は、制御信号に応じたレーザービームを出力する。
【００８９】
感光体３２は、画像形成が開始されると回転駆動する。帯電部３４には帯電電圧が印加される。従って、感光体３２の表面は、帯電部３４により一様に帯電される。帯電された感光体３２は、レーザービームにより、表面に静電潜像が形成される。感光体３２の静電潜像は、現像装置３６によりトナー像に現像される。
【００９０】
記録用紙Ｐは、使用される給紙トレイ１６Ａ〜１６Ｄの何れかのピックアップロール４２により取り出され，搬送部４４によって転写部３８へ搬送される。
【００９１】
ここで、位置決めロール４６では、記録用紙Ｐを、感光体３２上と同期がとられており、トナー像と記録用紙Ｐとを転写位置で対峙させる。これにより感光体３２上のトナー像は、記録用紙Ｐに転写される。
【００９２】
前記トナー像が転写された記録用紙Ｐは、定着装置４８によって定着処理され、例えば、排紙トレイ５２へ排出される。
【００９３】
（結露除去制御）
ここで、画像処理装置１０は、筐体１０Ａの内部、特に、用紙案内部５０に結露が発生し易い構造となる場合がある。そこで、本実施の形態では、暖機運転時に、結露の発生の有無を判定し、結露発生判定の場合は、第１の排気案内部５８（定着装置４８）から集約ダクト６８へ届く雰囲気を、第２の排気案内部６０（用紙案内部５０）へ逆流させる、逆流制御を実行する。本実施の形態の逆流制御は、第２のファン７０の駆動停止によって実現している。
【００９４】
図８は、メインコントローラ２８で実行される結露発生判定制御ルーチンを示すフローチャートである。この図８の処理は、例えば、画像処理装置１０が設置された事業所の始業時間（例えば、午前８時）に対して、予め定めた時間前（例えば、午前６時）に実行する暖機運転の開始時に実行される。
【００９５】
ステップ１００では、温度センサ７４による温度検出の実行を指示し、次いでステップ１０２へ移行して検出値を受け付けたか否かが判断される。
【００９６】
ステップ１０２で肯定判定されると、ステップ１０４へ移行して検出した機内温度を前述した（１）式に代入して、飽和水蒸気量を求め、最終的に絶対湿度を取得する。
【００９７】
次のステップ１０６では、機内温度−絶対湿度特性テーブル（図６参照）を読み出し、次いでステップ１０８へ移行して機内温度と絶対湿度とから領域を判定する。
【００９８】
次のステップ１１０では、判定した領域が第１領域か否かが判断される。このステップ１１０で否定判定されると、筐体１０Ａ内で結露は発生していないと判断し、ステップ１１６へ移行して、暖機運転の実行を指示する。
【００９９】
また、ステップ１１０で肯定判定されると、結露が画質低下や搬送不良等の悪影響を及ぼす程度に発生していることが予測され、ステップ１１２へ移行して、結露発生の警告報知を開始し、次いで、ステップ１１４へ移行して逆流制御の実行を指示し、ステップ１１６へ移行して、暖機運転の実行を指示する。本実施の形態では、逆流制御の実行指示は、暖機運転時の第２のファン７０の駆動停止である。
【０１００】
図９は、図８のステップ１１６で暖機運転実行指示に基づき実行される暖機運転制御ルーチンを示すフローチャートである。また、図１０は、図９の処理に準じたタイミングチャートである。
【０１０１】
ステップ１２０では、暖機運転の実行指示があったか否かが判断され、否定判定された場合は、暖機運転時期ではないと判断し、このルーチンは終了する。
【０１０２】
また、ステップ１２０で肯定判定されと、暖機運転時期であると判断し、ステップ１２２へ移行する。
【０１０３】
ステップ１２２では、第１のファン６４の駆動を開始し、次いでステップ１２４へ移行して第２のファン７０の停止指示があったか否かが判断される。第２のファン７０の停止指示は、図８のステップ１１４に基づく。
【０１０４】
ステップ１２４で否定判定された場合は、通常運転するべく、ステップ１２６へ移行して第２のファン７０の駆動を開始し、ステップ１２８へ移行する。
【０１０５】
また、ステップ１２４で肯定判定された場合は、逆流制御運転するべくステップ１２６をスキップして、ステップ１２８へ移行する。ステップ１２６のスキップにより、第２のファン７０の駆動はキャンセルされる。
【０１０６】
ステップ１２８で暖機運転終了時刻か否かが判断され、肯定判定されると、ステップ１３０へ移行して、通常運転時は、第１のファン６４及び第２のファン７０の駆動を停止し、逆流制御運転時は、第１のファン６４の駆動を停止し、このルーチンは終了する。
【０１０７】
（変形例）
なお、本実施の形態では、結露発生の有無を、図６の機内温度−絶対湿度特性テーブルを参照して判定しているが、判定基準は、周囲の環境や、利用者の認識によって許容範囲が異なる。
【０１０８】
そこで、図６に示される如く、しきい値Ｓの変更許容領域として第３領域を設定した。
【０１０９】
図１１は、当該しきい値Ｓの変更制御ルーチンを示すフローチャートである。
【０１１０】
ステップ１４０では、例えば、ＵＩ２６の操作等により、しきい値Ｓの変更指示があったか否かが判断される。このステップ１４０で否定判定された場合は、このルーチンは終了する。
【０１１１】
また、ステップ１４０で肯定判定されると、ステップ１４２へ移行して機内温度−絶対湿度特性テーブルを読み出し、次いでステップ１４４で第３領域の範囲内でしきい値Ｓを変更処理し、このルーチンは終了する。
【０１１２】
なお、本実施の形態では、逆流制御のための流路形成手段として、第２のファン７０の駆動を停止するようにしたが、第２のファン７０を逆転駆動させるようにしてもよい。また、逆流制御するための他の流路形成手段として、排気口１０Ｂを一時的に閉鎖するようにしてもよい。
【符号の説明】
【０１１３】
Ｍ    原稿
Ｐ    記録用紙
１０    画像処理装置
１０Ａ    筐体
１０Ｂ    排気口
１２    画像形成部
１４    画像読取部
１６    トレイユニット
１６Ａ、１６Ｂ、１６Ｃ、１６Ｄ    給紙トレイ
１８    自動原稿送り装置
２０    原稿台
２２    排出台
２４    搬送部
２６    ユーザーインターフェイス
２８    メインコントローラ
３０    露光装置
３２    感光体
３４    帯電部
３６    現像装置
３８    転写部
４０    クリーナ部
４２    ピックアップロール
４４    搬送部
４６    位置決めロール
４８    定着装置
４８Ａ    加熱ロール
４８Ｂ    加圧ロール
５０    用紙案内部
５２    排紙トレイ
５４    反転路
５６    排気ダクトユニット
５８    第１の排気案内部
５８Ａ    天井部
５８Ｂ    側壁部
６０    第２の排気案内部
６０Ａ    天井部
６０Ｂ    側壁部
６２    定着排気ダクト
６４    第１のファン
６６    バッファ部
６８    集約ダクト
７０    第２のファン
７２    用紙案内部排気ダクト
７４    温度センサ
７６    受付部
７８    絶対湿度演算部
８０    結露判定部
８２    読出部
８４    機内温度−絶対湿度特性テーブルメモリ
８６    報知部
８８    実行指示部
９０    ファン駆動部
【図１】
2018040949.tif 000003
【図２】
2018040949.tif 000004
【図３】
2018040949.tif 000005
【図４】
2018040949.tif 000006
【図５】
2018040949.tif 000007
【図６】
2018040949.tif 000008
【図７】
2018040949.tif 000009
【図８】
2018040949.tif 000010
【図９】
2018040949.tif 000011
【図１０】
2018040949.tif 000012
【図１１】
2018040949.tif 000013